(57)【要約】【課題】パラメータの設定を行わせるときにかかるユーザの負担を軽減することができるパラメータ設定装置及びパラメータ設定方法を提供すること。【解決手段】特定のパラメータの値を設定させるためのパラメータ設定画面から特定のパラメータに関連付けられたパラメータの値を設定させるためのパラメータ設定画面に切り換えるための操作子としてパラメータ切り替えボタン６０ａ、６０ｂを特定のパラメータの値を設定させるためのパラメータ設定画面上に表示させる。【選択図】図１３
2016126614.tif 000002
【特許請求の範囲】
【請求項１】
複数のパラメータの値を設定することができるパラメータ設定装置であって、
前記複数のパラメータのうちの特定のパラメータに関連付けられたパラメータを表すパラメータ関連情報を格納するパラメータ関連情報格納部（１５）と、
前記複数のパラメータのなかから選択された所定のパラメータの値を設定させるためのパラメータ設定画面を表示装置（２１）に表示させる表示制御部（２４）と、を備え、
前記表示制御部は、前記特定のパラメータの値を設定させるためのパラメータ設定画面を前記表示装置に表示させることを条件に、前記特定のパラメータの値を設定させるためのパラメータ設定画面から前記パラメータ関連情報によって前記特定のパラメータに関連付けられたパラメータの値を設定させるためのパラメータ設定画面に切り換えるための操作子（６０ａ〜６０ｅ）を、前記特定のパラメータの値を設定させるためのパラメータ設定画面上に表示させるパラメータ設定装置。
【請求項２】
前記表示制御部は、前記操作子に対応するパラメータの名称を前記操作子上に表示させる請求項１に記載のパラメータ設定装置。
【請求項３】
前記表示制御部は、前記操作子に対応するパラメータの設定値を前記操作子上に表示させる請求項２に記載のパラメータ設定装置。
【請求項４】
前記表示制御部は、キャリアアグリゲーションにおけるコンポーネントキャリアの前記特定のパラメータの値を設定させるためのパラメータ設定画面を前記表示装置に表示させることを条件に、前記コンポーネントキャリアの前記特定のパラメータの値を設定させるためのパラメータ設定画面から前記パラメータ関連情報によって前記特定のパラメータに関連付けられた他のコンポーネントキャリアの前記特定のパラメータの値を設定させるためのパラメータ設定画面に切り換えるための操作子を、前記特定のパラメータの値を設定させるためのパラメータ設定画面上に表示させる請求項１ないし請求項３の１ずれか１つの請求項に記載のパラメータ設定装置。
【請求項５】
複数のパラメータの値を設定することができるパラメータ設定装置によってパラメータを設定するパラメータ設定方法であって、
前記複数のパラメータのうちの特定のパラメータに関連付けられたパラメータを表すパラメータ関連情報をパラメータ関連情報格納部（１５）に予め格納しておき、
前記複数のパラメータのなかから選択された所定のパラメータの値を設定させるためのパラメータ設定画面を表示装置（２１）に表示させる表示制御ステップを有し、
前記表示制御ステップでは、前記特定のパラメータの値を設定させるためのパラメータ設定画面を前記表示装置に表示させることを条件に、前記特定のパラメータの値を設定させるためのパラメータ設定画面から前記パラメータ関連情報によって前記特定のパラメータに関連付けられたパラメータの値を設定させるためのパラメータ設定画面に切り換えるための操作子（６０ｅ）を、前記特定のパラメータの値を設定させるためのパラメータ設定画面上に表示させるパラメータ設定方法。
【請求項６】
前記表示制御ステップでは、キャリアアグリゲーションにおけるコンポーネントキャリアの前記特定のパラメータの値を設定させるためのパラメータ設定画面を前記表示装置に表示させることを条件に、前記コンポーネントキャリアの前記特定のパラメータの値を設定させるためのパラメータ設定画面から前記パラメータ関連情報によって前記特定のパラメータに関連付けられた他のコンポーネントキャリアの前記特定のパラメータの値を設定させるためのパラメータ設定画面に切り換えるための操作子を、前記特定のパラメータの値を設定させるためのパラメータ設定画面上に表示させる請求項５に記載のパラメータ設定方法。
【発明の詳細な説明】
【技術分野】
【０００１】
本発明は、測定器などのパラメータの設定を行わせるパラメータ設定装置及びパラメータ設定方法に関する。
【背景技術】
【０００２】
従来、特許文献１に提案された技術のように、表示装置の画面上にパラメータ設定用のウインドウを表示し、表示したウインドウ上でパラメータの設定を行わせる技術が提案されている。
【先行技術文献】
【特許文献】
【０００３】
【特許文献１】特開平６−３１４０８７号公報（第２図（ｂ））
【発明の概要】
【発明が解決しようとする課題】
【０００４】
しかしながら、このような従来の技術は、測定器などのように多様なパラメータを参照する装置に適用した場合に、１つのパラメータを設定するときに、関連する他のパラメータの設定も必要になるケースがある。
【０００５】
このようなケースでは、設定対象のパラメータに関連する他のパラメータを多様なパラメータのなかからユーザに特定させて設定させることとなり、従来の技術は、パラメータの設定を行わせるときにユーザに負担をかけてしまうことがあるといった課題があった。
【０００６】
本発明は、このような課題を解決するためになされたもので、パラメータの設定を行わせるときにかかるユーザの負担を軽減することができるパラメータ設定装置及びパラメータ設定方法を提供することを目的とする。
【課題を解決するための手段】
【０００７】
本発明のパラメータ設定装置は、複数のパラメータの値を設定することができるパラメータ設定装置であって、前記複数のパラメータのうちの特定のパラメータに関連付けられたパラメータを表すパラメータ関連情報を格納するパラメータ関連情報格納部（１５）と、前記複数のパラメータのなかから選択された所定のパラメータの値を設定させるためのパラメータ設定画面を表示装置（２１）に表示させる表示制御部（２４）と、を備え、前記表示制御部は、前記特定のパラメータの値を設定させるためのパラメータ設定画面を前記表示装置に表示させることを条件に、前記特定のパラメータの値を設定させるためのパラメータ設定画面から前記パラメータ関連情報によって前記特定のパラメータに関連付けられたパラメータの値を設定させるためのパラメータ設定画面に切り替えるための操作子（６０ａ〜６０ｅ）を、前記特定のパラメータの値を設定させるためのパラメータ設定画面上に表示させる構成を有している。
【０００８】
この構成により、本発明のパラメータ設定装置は、特定のパラメータの値を設定させるためのパラメータ設定画面から、特定のパラメータに関連付けられたパラメータの値を設定させるためのパラメータ設定画面に切り替えるための操作子を、特定のパラメータの値を設定させるためのパラメータ設定画面上に表示させる。
【０００９】
したがって、本発明のパラメータ設定装置は、特定のパラメータを設定した後に、特定のパラメータに関連するパラメータを複数のパラメータのなかからユーザに特定させる負担を削減するため、パラメータの設定を行わせるときにかかるユーザの負担を軽減することができる。
【００１０】
なお、前記表示制御部は、前記操作子に対応するパラメータの名称を前記操作子上に表示させるようにしてもよい。
【００１１】
この構成により、本発明のパラメータ設定装置は、操作子を操作したときに、どのパラメータを設定するためのパラメータ設定画面にパラメータ設定画面が切り替わるのかをユーザに視認させることができる。
【００１２】
また、前記表示制御部は、前記操作子に対応するパラメータの設定値を前記操作子上に表示させるようにしてもよい。
【００１３】
この構成により、本発明のパラメータ設定装置は、設定対象のパラメータに関連する他のパラメータに設定値をユーザに視認させることができ、設定対象のパラメータを設定するときの判断材料をユーザに提示することができる。
【００１４】
また、前記表示制御部は、キャリアアグリゲーションにおけるコンポーネントキャリアの前記特定のパラメータの値を設定させるためのパラメータ設定画面を前記表示装置に表示させることを条件に、前記コンポーネントキャリアの前記特定のパラメータの値を設定させるためのパラメータ設定画面から前記パラメータ関連情報によって前記特定のパラメータに関連付けられた他のコンポーネントキャリアの前記特定のパラメータの値を設定させるためのパラメータ設定画面に切り換えるための操作子（６０ｅ）を、前記特定のパラメータの値を設定させるためのパラメータ設定画面上に表示させるようにしてもよい。
【００１５】
この構成により、本発明のパラメータ設定装置は、キャリアアグリゲーションにおけるコンポーネントキャリアの特定のパラメータを設定させた後に、他のコンポーネントキャリアの特定のパラメータの設定をユーザに容易に行わせることができる。
【００１６】
また、本発明のパラメータ設定方法は、複数のパラメータの値を設定することができるパラメータ設定装置によってパラメータを設定するパラメータ設定方法であって、前記複数のパラメータのうちの特定のパラメータに関連付けられたパラメータを表すパラメータ関連情報をパラメータ関連情報格納部（１５）に予め格納しておき、前記複数のパラメータのなかから選択された所定のパラメータの値を設定させるためのパラメータ設定画面を表示装置（２１）に表示させる表示制御ステップを有し、前記表示制御ステップでは、前記特定のパラメータの値を設定させるためのパラメータ設定画面を前記表示装置に表示させることを条件に、前記パラメータ関連情報によって前記特定のパラメータに関連付けられたパラメータの値を設定させるためのパラメータ設定画面に前記パラメータ設定画面を切り替えるための操作子（６０ａ〜６０ｅ）を、前記特定のパラメータの値を設定させるためのパラメータ設定画面上に表示させる。
【００１７】
このように、本発明のパラメータ設定方法は、特定のパラメータの値を設定させるためのパラメータ設定画面から、特定のパラメータに関連付けられたパラメータの値を設定させるためのパラメータ設定画面に切り替えるための操作子を、特定のパラメータの値を設定させるためのパラメータ設定画面上に表示させる。
【００１８】
したがって、本発明のパラメータ設定方法は、特定のパラメータを設定した後に、特定のパラメータに関連するパラメータを複数のパラメータのなかからユーザに特定させる負担を削減するため、パラメータの設定を行わせるときにかかるユーザの負担を軽減することができる。
【００１９】
なお、前記表示制御ステップでは、キャリアアグリゲーションにおけるコンポーネントキャリアの前記特定のパラメータの値を設定させるためのパラメータ設定画面を前記表示装置に表示させることを条件に、前記コンポーネントキャリアの前記特定のパラメータの値を設定させるためのパラメータ設定画面から前記パラメータ関連情報によって前記特定のパラメータに関連付けられた他のコンポーネントキャリアの前記特定のパラメータの値を設定させるためのパラメータ設定画面に切り換えるための操作子（６０ｅ）を、前記特定のパラメータの値を設定させるためのパラメータ設定画面上に表示させてもよい。
【００２０】
したがって、本発明のパラメータ設定方法は、キャリアアグリゲーションにおけるコンポーネントキャリアの特定のパラメータを設定させた後に、他のコンポーネントキャリアの特定のパラメータの設定をユーザに容易に行わせることができる。
【発明の効果】
【００２１】
本発明は、パラメータの設定を行わせるときにかかるユーザの負担を軽減することができるパラメータ設定装置及びパラメータ設定方法を提供することができる。
【図面の簡単な説明】
【００２２】
【図１】図１は、本発明の実施の形態に係る移動端末試験装置のブロック図である。
【図２】図２は、本発明の実施の形態に係る移動端末試験装置によって参照されるパラメータの階層関係を示す概念図である。
【図３】図３は、図２に続くパラメータの階層関係を示す概念図である。
【図４】図４は、図３に続くパラメータの階層関係を示す概念図である。
【図５】図５は、本発明の実施の形態に係る移動端末試験装置によって表示される第１表示制御状態におけるメインウインドウの概要図である。
【図６】図６は、本発明の実施の形態に係る移動端末試験装置によって表示される第２表示制御状態におけるメインウインドウの概要図である。
【図７】図７は、図５に示すメインウインドウの第１表示領域の一部を示す概要図である。
【図８】図８（ａ）は、図５に示すメインウインドウの第１表示領域における画像表示領域内でスクロールされているリスト画像を示す概要図であり、図８（ｂ）は、画像表示領域内で境界までスクロールされているリスト画像を示す概要図であり、図８（ｃ）は、画像表示領域内でスクロールが規制されているリスト画像を示す概要図であり、図８（ｄ）は、画像表示領域内でスクロールが更に規制されているリスト画像を示す概要図である。
【図９】図９（ａ）は、図５に示すメインウインドウの第１表示領域における画像表示領域内でスクロールされているリスト画像を示す概要図であり、図９（ｂ）は、画像表示領域内で境界までスクロールされているリスト画像を示す概要図であり、図９（ｃ）は、画像表示領域内でスクロールが規制されているリスト画像を示す概要図であり、図９（ｄ）は、画像表示領域内でスクロールが更に規制されているリスト画像を示す概要図である。
【図１０】図１０は、本発明の実施の形態に係る移動端末試験装置によって表示されるパラメータ設定画面の第１の概要図である。
【図１１】図１１は、本発明の実施の形態に係る移動端末試験装置によって表示されるパラメータ設定画面の第２の概要図である。
【図１２】図１２は、本発明の実施の形態に係る移動端末試験装置によって表示されるパラメータ設定画面の第３の概要図である。
【図１３】図１３は、本発明の実施の形態に係る移動端末試験装置によって表示されるパラメータ設定画面の第４の概要図である。
【図１４】図１４は、本発明の実施の形態に係る移動端末試験装置によって表示されるパラメータ設定画面の第５の概要図である。
【図１５】図１５は、本発明の実施の形態に係る移動端末試験装置によって表示されるパラメータ設定画面の第６の概要図である。
【図１６】図１６は、本発明の実施の形態に係る移動端末試験装置の他の態様によって表示される第２表示制御状態におけるメインウインドウの概要図である。
【図１７】図１７は、本発明の実施の形態に係る移動端末試験装置の他の態様によって参照されるパラメータの階層関係を示す概念図である。
【図１８】図１８は、本発明の実施の形態に係る移動端末試験装置の他の態様によって表示されるパラメータ設定画面の第７の概要図である。
【図１９】図１９は、本発明の実施の形態に係る移動端末試験装置によって表示されるパラメータ抽出画面の概要図である。
【発明を実施するための形態】
【００２３】
以下、本発明の実施の形態について、図面を参照して説明する。なお、本実施の形態においては、移動端末の試験を行うための移動端末試験装置に本発明のパラメータ設定装置を適用した例について説明する。
【００２４】
図１に示すように、移動端末試験装置１は、同軸ケーブル等を介して有線で移動端末２と信号を送受信するようになっている。なお、移動端末試験装置１は、アンテナを介して無線で移動端末２と信号を送受信するようにしてもよい。
【００２５】
移動端末試験装置１は、移動端末２の試験を実行するためのシナリオ及びパラメータを含む情報が格納された試験情報格納部１０と、試験情報格納部１０に格納された情報に基づいて、移動端末２の試験を実行する試験実行部１１と、試験実行部１１によって実行される試験に応じて移動端末２と通信を行う通信部１２と、試験情報格納部１０に格納されたパラメータを管理するパラメータ管理部１４とを含んで構成される。
【００２６】
また、移動端末試験装置１は、タッチパッドなどによって構成された入力装置２０と、液晶表示装置などによって構成された表示装置２１と、入力装置２０になされた操作を検出する操作検出部２２と、操作検出部２２によって検出された操作に応じた処理を実行する操作実行部２３と、表示装置２１を制御する表示制御部２４とを更に含んで構成される。
【００２７】
ここで、移動端末試験装置１は、移動端末２と通信を行うための通信モジュールが設けられた図示しないコンピュータ装置によって構成される。このコンピュータ装置は、それぞれ図示しないＣＰＵ（Central Processing Unit）と、ＲＯＭ（Read Only Memory）と、ＲＡＭ（Random Access Memory）と、ハードディスク装置と、入出力ポートと、タッチパネルとを有する。
【００２８】
このコンピュータ装置のＲＯＭ及びハードディスク装置には、コンピュータ装置を移動端末試験装置１として機能させるためのプログラムが格納されている。すなわち、ＣＰＵがＲＡＭを作業領域としてＲＯＭに格納されたプログラムを実行することにより、当該コンピュータ装置は、移動端末試験装置１として機能する。
【００２９】
このように、本実施の形態において、試験情報格納部１０は、ＲＡＭ又はハードディスク装置によって構成され、試験実行部１１、パラメータ管理部１４、操作検出部２２、操作実行部２３及び表示制御部２４は、ＣＰＵによって構成され、通信部１２は、通信モジュールによって構成される。
【００３０】
また、入力装置２０と、表示装置２１とは、一体に、タッチパネル２５によって構成される。すなわち、表示制御部２４によって表示装置２１に表示される画像は、情報を表す他に、入力装置２０と協働して情報を入力させるためのユーザインタフェイスを構成する。
【００３１】
試験情報格納部１０に格納されたパラメータは、階層化されてパラメータ管理部１４によって管理されている。すなわち、パラメータ管理部１４は、試験情報格納部１０に格納された各パラメータの値の更新及び読み出しを行うようになっている。
【００３２】
また、試験情報格納部１０は、複数のパラメータのなかで特定のパラメータに関連付けられたパラメータを表すパラメータ関連情報を格納するパラメータ関連情報格納部１５を構成する。
【００３３】
パラメータ関連情報によって特定のパラメータに関連付けられたパラメータは、特定のパラメータの値を変更した場合に、値を変更する必要がある又は値が変更される可能性が高いパラメータよりなる。
【００３４】
図２ないし図４に示すように、本実施の形態における第１階層のパラメータは、「Common」、「Call Processing」、「TX Measurement Setup」、「RX Measurement Setup」及び「Fundamental Measurement」に分類されている。なお、図２及び図３に示すパラメータは、発明を理解しやすくするために、一部が省かれている。
【００３５】
図２において、「Common」は、第１階層のパラメータとして、一般的な通信に関するパラメータのグループを表し、「Frequency」、「Level」、「Signal」及び「UL RMC」の各パラメータを含んでいる。
【００３６】
「Frequency」は、「Common」に分類された第２階層のパラメータとして、通信周波数に関するパラメータのグループを表し、「Frame Structure」、「Channel Bandwidth」、「UL Channel」、「DL Channel」、「UL Frequency」、「DL Frequency」及び「Operation Band」の各パラメータを含んでいる。
【００３７】
「Frame Structure」は、「Frequency」に分類された第３階層のパラメータとして、デュプレックスモードを表し、本実施の形態においては、「FDD」（Frequency Division Duplex）及び「TDD」（Time Division Duplex）の中から選択される。なお、「Frame Structure」の初期値は、「FDD」に設定されている。
【００３８】
「Channel Bandwidth」は、「Frequency」に分類された第３階層のパラメータとして、チャネル帯域幅を表し、「１．４ＭＨｚ」、「３ＭＨｚ」、「５ＭＨｚ」、「１０ＭＨｚ」、「１５ＭＨｚ」及び「２０ＭＨｚ」の中から選択される。なお、「Channel Bandwidth」の初期値は、「５ＭＨｚ」に設定されている。また、「Channel Bandwidth」は、本実施の形態における特定のパラメータに該当し、「UL Channel」がパラメータ関連情報により関連付けられている（図中、「関連パラメータ」と記す）。
【００３９】
「UL Channel」は、「Frequency」に分類された第３階層のパラメータとして、アップリンク（移動端末２から移動端末試験装置１に向かうリンク）のチャネルを表し、「０」〜「６５５３５」の設定範囲が規定されている。なお、「UL Channel」の初期値は、「１８３００」に設定されている。また、「UL Channel」は、本実施の形態における特定のパラメータに該当し、「UL Frequency」及び「Operation Band」がパラメータ関連情報により関連付けられている。
【００４０】
「DL Channel」は、「Frequency」に分類された第３階層のパラメータとして、ダウンリンク（移動端末試験装置１から移動端末２に向かうリンク）のチャネルを表し、「０」〜「６５５３５」の設定範囲が規定されている。なお、「DL Channel」の初期値は、「３００」に設定されている。また、「DL Channel」は、本実施の形態における特定のパラメータに該当し、「DL Frequency」及び「Operation Band」がパラメータ関連情報により関連付けられている。
【００４１】
「UL Frequency」は、「Frequency」に分類された第３階層のパラメータとして、ダウンリンクの周波数を表し、「０．４０００００ＭＨｚ」〜「２７００．００００００ＭＨｚ」の設定範囲が規定されている。なお、「UL Frequency」の初期値は、「１９５０．００００００ＭＨｚ」に設定されている。
【００４２】
「DL Frequency」は、「Frequency」に分類された第３階層のパラメータとして、アップリンクの周波数を表し、「０．４０００００ＭＨｚ」〜「２７００．００００００ＭＨｚ」の設定範囲が規定されている。なお、「DL Frequency」の初期値は、「２１４０．００００００ＭＨｚ」に設定されている。
【００４３】
「Operation Band」は、「Frequency」に分類された第３階層のパラメータとして、動作帯域を表し、「１」〜「４３」の設定範囲が規定されている。なお、「Operation Band」の初期値は、「１」に設定されている。また、「Operation Band」は、本実施の形態における特定のパラメータに該当し、「UL Channel」及び「DL Channel」がパラメータ関連情報により関連付けられている。
【００４４】
「Level」は、「Common」に分類された第２階層のパラメータとして、通信レベルに関するパラメータのグループを表し、「Input Level」、「Output Level」、「External Loss」、「Main UL」、「Main DL」及び「AUX」の各パラメータを含んでいる。
【００４５】
「Input Level」は、「Level」に分類された第３階層のパラメータとして、移動端末２に入力させるＲＦ信号のレベルを表し、「−６５．０ｄＢｍ」〜「＋３５．０ｄＢｍ」の設定範囲が規定されている。なお、「Input Level」の初期値は、「−１．０ｄＢｍ」に設定されている。
【００４６】
「Output Level」は、「Level」に分類された第３階層のパラメータとして、全てのチャネルの出力レベルの合計を表し、「−１２０．０ｄＢｍ」〜「−１０．０ｄＢｍ」の設定範囲が規定されている。なお、「Output Level」の初期値は、「−６０．２ｄＢｍ」に設定されている。
【００４７】
「External Loss」は、「Level」に分類された第３階層のパラメータとして、外部ロスの状態を表し、「ＯＮ」、「ＯＦＦ」及び「ＣＯＭＭＯＮ」の中から選択される。なお、「External Loss」の初期値は、「ＯＦＦ」に設定されている。また、「External Loss」は、本実施の形態における特定のパラメータに該当し、「Main UL」及び「Main DL」がパラメータ関連情報により関連付けられている。
【００４８】
「Main UL」は、「Level」に分類された第３階層のパラメータとして、メインコネクタのアップリンクのオフセット値を表し、「−９９．０ｄＢｍ」〜「＋９９．０ｄＢｍ」の設定範囲が規定されている。なお、「Main UL」の初期値は、「０．０ｄＢｍ」に設定されている。
【００４９】
「Main DL」は、「Level」に分類された第３階層のパラメータとして、メインコネクタのダウンリンクのオフセット値を表し、「−９９．０ｄＢｍ」〜「＋９９．０ｄＢｍ」の設定範囲が規定されている。なお、「Main DL」の初期値は、「０．０ｄＢｍ」に設定されている。
【００５０】
「AUX」は、「Level」に分類された第３階層のパラメータとして、予備コネクタのダウンリンクのオフセット値を表し、「−９９．０ｄＢｍ」〜「＋９９．０ｄＢｍ」の設定範囲が規定されている。なお、「AUX」の初期値は、「０．０ｄＢｍ」に設定されている。
【００５１】
「Signal」は、「Common」に分類された第２階層のパラメータとして、通信信号に関するパラメータのグループを表し、「Channel Coding」、「Antenna Configuration」及び「DCI Format」の各パラメータを含んでいる。
【００５２】
「Channel Coding」は、「Signal」に分類された第３階層のパラメータとして、チャネルの構成を表し、「RMC」（Reference Measurement Channel）及び「Packet」並びにチャネルをＬＴＥ−Ａ（Long Term Evolution-Advanced）用の構成にするための「RMC (DL CA)」及び「Packet (DL CA)」の中から選択される。なお、「Channel Coding」の初期値は、「RMC」に設定されている。
【００５３】
「Antenna Configuration」は、「Signal」に分類された第３階層のパラメータとして、アンテナの構成を表し、「Single Antenna」、「Receiver Diversity」、「Transmit Diversity」、「2x2 MIMO (Open Loop)」、「2x2 MIMO(Closed Loop Single Layer)」及び「2x2 MIMO(Closed Loop Multi Layer)」の中から選択される。なお、「Antenna Configuration」の初期値は、「Single Antenna」に設定されている。
【００５４】
「DCI Format」（Downlink Control Information Format）は、「Signal」に分類された第３階層のパラメータとして、ダウンリンクの制御信号のフォーマットを表し、「１Ａ」及び「１」の中から選択される。なお、「DCI Format」の初期値は、「１Ａ」に設定されている。
【００５５】
「UL RMC」は、「Common」に分類された第２階層のパラメータとして、アップリンク信号のＲＭＣに関するパラメータのグループを表し、「Number of RB」、「Starting RB」、「RB Pos.」、「MCS Index」及び「Modulation」の各パラメータを含んでいる。
【００５６】
「Number of RB」は、「UL RMC」に分類された第３階層のパラメータとして、アップリンク信号に割り当てるRB（Resource Block、リソースブロック）の数を表し、「０」〜「１００」の設定範囲が規定されている。なお、「Number of RB」の初期値は、「２５」に設定されている。
【００５７】
「Starting RB」は、「UL RMC」に分類された第３階層のパラメータとして、アップリンク信号のＲＢの開始番号を表し、「０」〜「９９」の設定範囲が規定されている。なお、「Starting RB」の初期値は、「０」に設定されている。
【００５８】
「RB Pos.」は、「UL RMC」に分類された第３階層のパラメータとして、アップリンク信号においてＲＢを割り当てる位置を表し、「ＭＩＮ」、「ＭＩＤ」及び「ＭＡＸ」の中から選択される。なお、「RB Pos.」の初期値は、「ＭＩＮ」に設定されている。
【００５９】
「MCS Index」は、「UL RMC」に分類された第３階層のパラメータとして、アップリンク信号のＭＳＣ（Mobile Switching Center）のインデックスを表し、「０」〜「２８」の設定範囲が規定されている。なお、「MCS Index」の初期値は、「５」に設定されている。また、「MCS Index」は、「Modulation」等の値が変更されると、その設定値が連動して変更される。
【００６０】
「Modulation」は、「UL RMC」に分類された第３階層のパラメータとして、アップリンク信号の変調方式を表し、「ＱＰＳＫ」（Quadrature Phase Shift Keying）及び「１６ＱＡＭ」（16 Quadrature Amplitude Modulation）の中から選択される。なお、「Modulation」の初期値は、「ＱＰＳＫ」に設定されている。また、「Modulation」は、「MCS Index」等の値が変更されると、その設定値が連動して変更される。
【００６１】
図３において、「Call Processing」は、第１階層のパラメータとして、呼接続に関するパラメータのグループを表し、「Base Station Identity」、「Mobile Station Identity」、「Power Control」及び「BCCH/PCCH」の各パラメータを含んでいる。
【００６２】
「Base Station Identity」は、「Call Processing」に分類された第２階層のパラメータとして、基地局の識別情報に関するパラメータのグループを表し、「Cell ID」、「MCC」、「MNC」及び「TAC」の各パラメータを含んでいる。
【００６３】
「Cell ID」は、「Base Station Identity」に分類された第３階層のパラメータとして、セルを識別するためのＩＤを表し、「０」〜「５０３」の設定範囲が規定されている。なお、「Cell ID」の初期値は、「０」に設定されている。
【００６４】
「MCC」は、「Base Station Identity」に分類された第３階層のパラメータとして、ＬＡＩ（Local Area Identification）のＭＣＣ（Mobile Country Code）を表し、「０」〜「９９９」の設定範囲が規定されている。なお、「MCC」の初期値は、「１」に設定されている。
【００６５】
「MNC」は、「Base Station Identity」に分類された第３階層のパラメータとして、ＬＡＩのＭＮＣ（Mobile Network Code）を表し、「０」〜「９９９」の設定範囲が規定されている。なお、「MNC」の初期値は、「１」に設定されている。
【００６６】
「TAC」は、「Base Station Identity」に分類された第３階層のパラメータとして、ＬＡＩのＴＡＣ（Tracking Area Code）を表し、「０ｘ００００」〜「０ｘＦＦＦＦ」の設定範囲が規定されている。なお、「TAC」の初期値は、「０ｘ０００１」に設定されている。
【００６７】
「Mobile Station Identity」は、「Call Processing」に分類された第２階層のパラメータとして、移動端末２の識別情報に関するパラメータのグループを表し、「Paging IMSI」、「C-RNTI」、「Temporary C-RNTI for Handover」、「Authentication」、「Authentication Algorithm」、「Authentication Key K」、「AMF」及び「Integrity Protection」の各パラメータを含んでいる。
【００６８】
「Paging IMSI」は、「Mobile Station Identity」に分類された第３階層のパラメータとして、ページング送信時に移動端末２に送信するＩＭＳＩ（International Mobile Subscriber Identity）の種別を表し、「ＡＵＴＯ」及び「ＦＩＸ」の中から選択される。なお、「Paging IMSI」の初期値は、「ＡＵＴＯ」に設定されている。
【００６９】
「C-RNTI」は、「Mobile Station Identity」に分類された第３階層のパラメータとして、Ｃ−ＲＮＴＩ（Cell-Radio Network Temporary Identifier）を表し、「０ｘ０００１」〜「０ｘＦＦＦ３」の設定範囲が規定されている。なお、「C-RNTI」の初期値は、「０ｘＡＡＡＡ」に設定されている。
【００７０】
「Temporary C-RNTI for Handover」は、「Mobile Station Identity」に分類された第３階層のパラメータとして、ハンドオーバ時に使用する一時的なＣ−ＲＮＴＩを表し、「０ｘ０００１」〜「０ｘＦＦＦ３」の設定範囲が規定されている。なお、「Temporary C-RNTI for Handover」の初期値は、「０ｘＡＡＡＡ」に設定されている。
【００７１】
「Authentication」は、「Mobile Station Identity」に分類された第３階層のパラメータとして、認証キーを生成するか否かを表し、「ＯＮ」と「ＯＦＦ」との間で切り替えられる。なお、「Authentication」の初期値は、「ＯＮ」に設定されている。
【００７２】
「Authentication Algorithm」は、「Mobile Station Identity」に分類された第３階層のパラメータとして、認証キーを生成するためのアルゴリズムを表し、「ＸＯＲ」及び「ＭＩＬＥＮＡＧＥ」の中から選択される。なお、「Authentication Algorithm」の初期値は、「ＸＯＲ」に設定されている。
【００７３】
「Authentication Key K」は、「Mobile Station Identity」に分類された第３階層のパラメータとして、３２桁の１６進数で表される移動端末２の認証キー（Authentication Key）を表し、「０ｘ００００００００」〜「０ｘＦＦＦＦＦＦＦＦ」の設定範囲が規定されている。なお、「Authentication Key K」の初期値は、「０ｘ１１２２３３」に設定されている。
【００７４】
「AMF」は、パラメータの第３階層として、４桁の１６進数で表されるＡＭＦ（Action Message Format）の認証キーを表し、「０ｘ００００」〜「０ｘＦＦＦＦ」の設定範囲が規定されている。なお、「AMF」の初期値は、「０ｘ８０００」に設定されている。
【００７５】
「Integrity Protection」は、「Mobile Station Identity」に分類された第３階層のパラメータとして、呼制御に関する情報のやり取りに関するＣ−ｐｌａｎｅのIntegrity Protectionを表し、「ＯＦＦ」、「ＮＵＬＬ」及び「ＳＮＯＷ３Ｇ」の中から選択される。なお、「Integrity Protection」の初期値は、「ＮＵＬＬ」に設定されている。
【００７６】
「Power Control」は、「Call Processing」に分類された第２階層のパラメータとして、電力制御に関するパラメータのグループを表し、「TPC Pattern」、「p-Max」、「p0-NominalPUSCH」、「additionalSpectrumEmission」、「filterCoefficient」及び「Power Control Offset」の各パラメータを含んでいる。
【００７７】
「TPC Pattern」は、「Power Control」に分類された第３階層のパラメータとして、アップリンクのＴＰＣ（Transmit Power Control）のパターンを表し、「ＡＵＴＯ」、「ＡＬＬＭ１」、「ＡＬＬ０」、「ＡＬＬ１」、「ＡＬＬ３」及び「ＡＬＴ」の中から選択される。なお、「TPC Pattern」の初期値は、「ＡＵＴＯ」に設定されている。
【００７８】
「p-Max」は、「Power Control」に分類された第３階層のパラメータとして、基地局から移動端末に送信されるSystemInformationBlockType1メッセージに含まれるp-Maxを表し、「−３０」〜「３３」の設定範囲が規定されている。なお、「p-Max」の初期値は、「３３」に設定されている。
【００７９】
「p0-NominalPUSCH」は、「Power Control」に分類された第３階層のパラメータとして、基地局から移動端末に送信されるSystemInformationBlockType2（以下、「ＳＩＢ２」という）メッセージに含まれるp0-NominalPUSCHを表し、「−１２６」〜「２４」の設定範囲が規定されている。なお、「p0-NominalPUSCH」の初期値は、「−８５」に設定されている。
【００８０】
「additionalSpectrumEmission」は、「Power Control」に分類された第３階層のパラメータとして、ＳＩＢ２メッセージに含まれるadditionalSpectrumEmissionを表し、「ＮＳ＿０１」〜「ＮＳ＿３２」の設定範囲が規定されている。なお、「additionalSpectrumEmission」の初期値は、「ＮＳ＿０１」に設定されている。
【００８１】
「filterCoefficient」は、「Power Control」に分類された第３階層のパラメータとして、フィルタ係数を表し、「ＦＣ４」及び「ＦＣ８」の中から選択される。なお、「filterCoefficient」の初期値は、「ＦＣ４」に設定されている。
【００８２】
「Power Control Offset」は、「Power Control」に分類された第３階層のパラメータとして、ＴＰＣによって制御するアップリンクのターゲットレベルの入力レベルからのオフセット値を表し、「０．０」〜「−２０．０」の設定範囲が規定されている。なお、「Power Control Offset」の初期値は、「０．０」に設定されている。また、「Power Control Offset」は、「TPC Pattern」が「ＡＵＴＯ」に設定されているときにのみ参照される。
【００８３】
「BCCH/PCCH」は、「Call Processing」に分類された第２階層のパラメータとして、ＢＣＣＨ（Broadcast Control Channel）及びＰＣＣＨ（Paging Control Channel）に関するパラメータのグループを表し、「modification Period Coeff」、「default Paging Cycle」及び「nB」の各パラメータを含んでいる。
【００８４】
「modification Period Coeff」は、「BCCH/PCCH」に分類された第３階層のパラメータとして、ＳＩＢ２メッセージに含まれるmodification Period Coeffを表し、「Ｎ２」、「Ｎ４」、「Ｎ８」及び「Ｎ１６」の中から選択される。なお、「modification Period Coeff」の初期値は、「Ｎ４」に設定されている。
【００８５】
「default Paging Cycle」は、「BCCH/PCCH」に分類された第３階層のパラメータとして、ＳＩＢ２メッセージに含まれるdefault Paging Cycleを表し、「３２」、「６４」、「１２８」及び「２５６」の中から選択される。なお、「default Paging Cycle」の初期値は、「１２８」に設定されている。
【００８６】
「nB」は、「BCCH/PCCH」に分類された第３階層のパラメータとして、ＳＩＢ２メッセージに含まれるnBを表し、「４Ｔ」、「２Ｔ」、「Ｔ」、「Ｔ＿２」、「Ｔ＿４」、「Ｔ＿８」、「Ｔ＿１６」及び「Ｔ＿３２」の中から選択される。なお、「nB」の初期値は、「Ｔ」に設定されている。
【００８７】
図４において、「TX Measurement Setup」は、第１階層のパラメータとして、移動端末２の送信に係る測定に関するパラメータのグループを表し、「Relative Power」及び「Aggregate Power」の各パラメータを含んでいる。
【００８８】
「Relative Power」は、「TX Measurement Setup」に分類された第２階層のパラメータとして、移動端末２に設定する送信パワーの相対値に関するパラメータのグループを表し、「Measurement Method」、「Measurement Subframe」、「UL Number of RB 1」及び「RB Change」の各パラメータを含んでいる。
【００８９】
「Measurement Method」は、「Relative Power」に分類された第３階層のパラメータとして、Power Control Tolerance（Relative Power）測定時の測定方法を表し、「ＡＵＴＯ」及び「ＭＡＮＵＡＬ」の中から選択される。なお、「Measurement Method」の初期値は、「ＡＵＴＯ」に設定されている。
【００９０】
「Measurement Subframe」は、「Relative Power」に分類された第３階層のパラメータとして、Power Control Tolerance（Relative Power）測定時の測定サブフレーム数を表し、「２」〜「１００」の設定範囲が規定されている。なお、「Measurement Subframe」の初期値は、「１０」に設定されている。
【００９１】
「UL Number of RB 1」は、「Relative Power」に分類された第３階層のパラメータとして、Power Control Tolerance（Relative Power）測定時のUL Number of RB 1を表し、「１」〜「１００」の設定範囲が規定されている。なお、「UL Number of RB 1」の初期値は、「１」に設定されている。
【００９２】
「RB Change」は、「Relative Power」に分類された第３階層のパラメータとして、Test TypeにRelative Powerの「Ramping Up」又は「Ramping Down」が設定されたときに「UL Number of RB」を「UL Number of RB 1」から「UL Number of RB 2」に変更するサブフレームを表し、「０」〜「９９」の設定範囲が規定されている。なお、「RB Change」の初期値は、「１０」に設定されている。
【００９３】
「Aggregate Power」は、「TX Measurement Setup」に分類された第２階層のパラメータとして、移動端末２に設定する送信パワーの基準値に関するパラメータのグループを表し、「Measurement Subframe」のパラメータを含んでいる。
【００９４】
「Measurement Subframe」は、「Aggregate Power」に分類された第３階層のパラメータとして、Power Control Tolerance（Aggregate Power）測定時の測定サブフレーム数を表し、「２」〜「２０」の設定範囲が規定されている。なお、「Measurement Subframe」の初期値は、「５」に設定されている。
【００９５】
「RX Measurement Setup」は、第１階層のパラメータとして、移動端末２の受信に係る測定に関するパラメータのグループを表し、「Throughput」及び「CQI」の各パラメータを含んでいる。
【００９６】
「Throughput」は、「RX Measurement Setup」に分類された第２階層のパラメータとして、スループットに関するパラメータのグループを表し、「Number of Sample」及び「Early Decision」の各パラメータを含んでいる。
【００９７】
「Number of Sample」は、「Throughput」に分類された第３階層のパラメータとして、スループット測定のサンプル数を表し、「１」〜「９９９９９９９９」の設定範囲が規定されている。なお、「Number of Sample」の初期値は、「２０００」に設定されている。
【００９８】
「Early Decision」は、「Throughput」に分類された第３階層のパラメータとして、Early DecisionのＯＮ／ＯＦＦを表し、「ＯＮ」と「ＯＦＦ」との間で切り替えられる。なお、「Early Decision」の初期値は、「ＯＦＦ」に設定されている。
【００９９】
また、「Early Decision」がＯＮに設定された場合には、Early Decisionに到達した時点でDL Throughput測定が終了し、「Early Decision」がＯＦＦに設定された場合には、同グループの「Number of Sample」で設定したサンプル数分の測定が行われる。
【０１００】
「CQI」は、「RX Measurement Setup」に分類された第２階層のパラメータとして、ＣＱＩ（Channel Quality Indicator）に関するパラメータのグループを表し、「Number of Sample」、「Range of Counting」及び「RX Measurement Timeout Length」の各パラメータを含んでいる。
【０１０１】
「Number of Sample」は、「CQI」に分類された第３階層のパラメータとして、ＣＱＩ測定のサンプル数を表し、「１」〜「９９９９」の設定範囲が規定されている。なお、「Number of Sample」の初期値は、「２０００」に設定されている。
【０１０２】
「Range of Counting」は、「CQI」に分類された第３階層のパラメータとして、ＣＱＩをカウントする範囲を表し、「０」〜「１５」の設定範囲が規定されている。なお、「Range of Counting」の初期値は、「３」に設定されている。
【０１０３】
「RX Measurement Timeout Length」は、「CQI」に分類された第３階層のパラメータとして、受信測定のタイムアウトの時間を表し、「１ｓ」〜「６０ｓ」の設定範囲が規定されている。なお、「RX Measurement Timeout Length」の初期値は、「１０ｓ」に設定されている。
【０１０４】
「Fundamental Measurement」は、第１階層のパラメータとして、測定に係る基本的なパラメータのグループを表し、「General」のパラメータを含んでいる。
【０１０５】
「General」は、「Fundamental Measurement」に分類された第２階層のパラメータとして、一般的なパラメータのグループを表し、「Power Measurement」、「Meas. Count」、「Power Template」、「Meas. Count」、「Occupied Bandwidth」、「Meas. Count」、「Spectrum Emission Mask」、「Meas. Count」、「Adjacent Channel Power」、「Meas. Count」、「Modulation Analysis」、「Meas. Count」、「Throughput」及び「CQI」の各パラメータを含んでいる。
【０１０６】
「Power Measurement」は、「General」に分類された第３階層のパラメータとして、電力測定を行うか否かを表し、「ＯＮ」と「ＯＦＦ」との間で切り替えられる。なお、「Power Measurement」の初期値は、「ＯＮ」に設定されている。
【０１０７】
「Power Measurement」に続く「Meas. Count」は、「General」に分類された第３階層のパラメータとして、電力測定の測定回数を表し、「１」〜「１０００」の設定範囲が規定されている。なお、「Meas. Count」の初期値は、「１」に設定されている。
【０１０８】
「Power Template」は、「General」に分類された第３階層のパラメータとして、Power Template測定を行うか否かを表し、「ＯＮ」と「ＯＦＦ」との間で切り替えられる。なお、「Power Template」の初期値は、「ＯＦＦ」に設定されている。
【０１０９】
「Power Template」に続く「Meas. Count」は、「General」に分類された第３階層のパラメータとして、Power Template測定の測定回数を表し、「１」〜「１０００」の設定範囲が規定されている。なお、「Meas. Count」の初期値は、「１」に設定されている。
【０１１０】
「Occupied Bandwidth」は、「General」に分類された第３階層のパラメータとして、占有帯域幅測定を行うか否かを表し、「ＯＮ」と「ＯＦＦ」との間で切り替えられる。なお、「Occupied Bandwidth」の初期値は、「ＯＦＦ」に設定されている。
【０１１１】
「Occupied Bandwidth」に続く「Meas. Count」は、「General」に分類された第３階層のパラメータとして、占有帯域幅測定の測定回数を表し、「１」〜「１０００」の設定範囲が規定されている。なお、「Meas. Count」の初期値は、「１」に設定されている。
【０１１２】
「Spectrum Emission Mask」は、「General」に分類された第３階層のパラメータとして、スペクトラムエミッションマスク（「ＳＥＭ」ともいう）測定を行うか否かを表し、「ＯＮ」と「ＯＦＦ」との間で切り替えられる。なお、「Spectrum Emission Mask」の初期値は、「ＯＦＦ」に設定されている。
【０１１３】
「Spectrum Emission Mask」に続く「Meas. Count」は、「General」に分類された第３階層のパラメータとして、ＳＥＭ測定の測定回数を表し、「１」〜「１０００」の設定範囲が規定されている。なお、「Meas. Count」の初期値は、「１」に設定されている。
【０１１４】
「Adjacent Channel Power」は、「General」に分類された第３階層のパラメータとして、隣接チャネル漏洩電力（「ＡＣＬＲ」ともいう）測定を行うか否かを表し、「ＯＮ」と「ＯＦＦ」との間で切り替えられる。なお、「Adjacent Channel Power」の初期値は、「ＯＦＦ」に設定されている。
【０１１５】
「Adjacent Channel Power」に続く「Meas. Count」は、「General」に分類された第３階層のパラメータとして、ＡＣＬＲ測定の測定回数を表し、「１」〜「１０００」の設定範囲が規定されている。なお、「Meas. Count」の初期値は、「１」に設定されている。
【０１１６】
「Modulation Analysis」は、「General」に分類された第３階層のパラメータとして、変調解析を行うか否かを表し、「ＯＮ」と「ＯＦＦ」との間で切り替えられる。なお、「Modulation Analysis」の初期値は、「ＯＮ」に設定されている。
【０１１７】
「Modulation Analysis」に続く「Meas. Count」は、「General」に分類された第３階層のパラメータとして、変調解析の解析回数を表し、「１」〜「１０００」の設定範囲が規定されている。なお、「Meas. Count」の初期値は、「１」に設定されている。
【０１１８】
「Throughput」は、「General」に分類された第３階層のパラメータとして、スループット測定を行うか否かを表し、「ＯＮ」と「ＯＦＦ」との間で切り替えられる。なお、「Throughput」の初期値は、「ＯＦＦ」に設定されている。
【０１１９】
「CQI」は、「General」に分類された第３階層のパラメータとして、ＣＱＩ測定を行うか否かを表し、「ＯＮ」と「ＯＦＦ」との間で切り替えられる。なお、「CQI」の初期値は、「ＯＦＦ」に設定されている。
【０１２０】
以上は、移動端末試験装置１に設定される代表的なパラメータである。このように、移動端末試験装置１は、パラメータの種類、すなわち、設定項目が膨大であるため、移動端末試験装置１にパラメータを設定することは、ユーザにとって非常に煩雑な作業となる。
【０１２１】
図５及び図６に示すように、表示制御部２４は、表示装置２１にメインウインドウ３０を表示させるようになっている。メインウインドウ３０は、第１表示領域３１及び第１表示領域３１よりも広い第２表示領域３２を含んでいる。また、第１表示領域３１は、画像表示領域３５を含んでいる。
【０１２２】
表示制御部２４は、第１表示領域３１及び第２表示領域３２の表示内容を制御するようになっている。また、表示制御部２４は、メインウインドウ３０に対して、図５に示す第１表示制御状態及び図６に示す第２表示制御状態のいずれか一方の表示状態をとるようになっている。
【０１２３】
操作実行部２３は、第１表示領域３１に表示された表示モード切り替えボタン２８に対する操作が操作検出部２２によって検出されたことを条件に、メインウインドウ３０に対する表示制御部２４の表示状態を第１表示制御状態と第２表示制御状態との間で切り替えるようになっている。なお、図５に示す第１表示制御状態のメインウインドウ３０と、図６に示す第２表示制御状態のメインウインドウ３０とは、選択されているパラメータが互いに異なっている。
【０１２４】
図５に示す第１表示制御状態において、表示制御部２４は、パラメータの名称とパラメータに設定された設定値とを含む設定パラメータ項目、及び、パラメータのグループを表すグループパラメータ項目を階層的に第１表示領域３１に表示させるようになっている。以下、設定パラメータ項目とグループパラメータ項目とを総称して、単に「パラメータ項目」ともいう。
【０１２５】
また、表示制御部２４は、パラメータに設定された設定値を参照した処理の実行結果を第２表示領域３２に表示させるようになっている。具体的には、表示制御部２４は、パラメータに設定された設定値を参照した試験実行部１１による試験の実行結果を第２表示領域３２に表示させるようになっている。
【０１２６】
表示制御部２４は、第１表示領域３１に対して、第１階層のグループパラメータ項目をタブ３３で表示させ、第１階層のパラメータのグループの中で選択されたタブ３３に対応した第１階層のパラメータ（図５においては、「Common」）のグループに含まれる第２階層のグループパラメータ項目（図５においては、「Frequency」及び「Level」など）をリスト３４に表示させ、第２階層のパラメータの中で選択されたグループに含まれる第３階層の設定パラメータ項目（図５においては、「Frame Structure」など）を第２階層のグループパラメータ項目と同じリスト３４に縦方向に配列して表示させるようになっている。
【０１２７】
なお、本実施の形態において、パラメータ項目の階層数を３として説明したが、パラメータ項目の階層数を４以上としてもよい。この場合には、表示制御部２４は、第４階層以降のパラメータ項目を上位階層のパラメータ項目内にリスト形式で、連続する階層のパラメータ項目の表示態様を異ならせて、階層が異なることがわかるように表示させるように構成する。
【０１２８】
このように、表示制御部２４は、リスト３４を構成する各パラメータ項目、すなわち、第２階層以下の各パラメータ項目によって構成される画像（以下、「リスト画像」ともいう）を画像表示領域３５内に表示させるようになっている。
【０１２９】
図７に示すように、表示制御部２４は、リスト３４を構成する各パラメータ項目において、パラメータの名称を左寄せで表示させるとともに、パラメータの名称の下に右寄せでパラメータに設定された設定値を表示させるようになっている。
【０１３０】
このように、リスト３４を構成する各パラメータ項目を表示することにより、各パラメータ項目を幅方向にコンパクトに表示させることができる。一方、各パラメータ項目は、縦方向に長くなってしまうが、本実施の形態のように、タッチパネル２５によって入力装置２０を構成した場合には、各パラメータ項目を選択（例えば、タップ）させやすくなる。
【０１３１】
また、表示制御部２４は、リスト３４を構成する各パラメータ項目において、パラメータの名称と、パラメータに設定された設定値とを互いに異なる表示態様で表示装置２１に表示させるようになっている。
【０１３２】
例えば、表示制御部２４は、リスト３４を構成する各パラメータ項目において、パラメータの名称と、パラメータに設定された設定値とを互いに異なる表示色で表示装置２１に表示させるようになっている。
【０１３３】
また、表示制御部２４は、初期値を表すパラメータの設定値と、初期値から変更されたパラメータの設定値とを互いに異なる表示態様で表示装置２１に表示させるようになっている。
【０１３４】
例えば、表示制御部２４は、初期値を表すパラメータの設定値と、初期値から変更されたパラメータの設定値とを互いに異なる表示色で表示装置２１に表示させるようになっている。
【０１３５】
表示制御部２４は、リスト３４を構成する各パラメータ項目におけるパラメータの名称を全て同一な表示態様で表示装置２１に表示させるようになっている。これにより、パラメータ名のみを見たいユーザに対して、パラメータ名の視認性が向上する。
【０１３６】
図７に示した例においては、第１階層が「Common」であり、第２階層が「Frequency」である第３階層のパラメータ「Operation Band」の初期値が「１」であるのに対して、設定値が「２」に変更されていることが示されている。
【０１３７】
なお、表示制御部２４は、全てのパラメータの設定値を初期値に戻す不図示の初期設定ボタンを第１表示領域３１内に表示させるようにしてもよい。この場合には、操作実行部２３は、操作検出部２２によって検出された操作が初期設定ボタンに対する操作であることを条件として、全てのパラメータの設定値を初期値に戻すように構成される。
【０１３８】
表示制御部２４は、第１表示領域３１内に割り当てられた画像表示領域３５内に、リスト画像がスクロールする状態で表示させることができるようになっている。このため、表示制御部２４は、リスト画像をスクロールさせるためのスクロールバー３６をリスト画像とともに表示装置２１に表示させるようになっている。ここで、スクロールバー３６は、リスト画像のスクロール量を表すとともに、入力装置２０による操作に応じて変位するスライダ３７を含む。
【０１３９】
図１において、操作実行部２３は、操作検出部２２によって検出された操作がリスト画像をスクロールさせる操作であることを条件として、操作検出部２２によって検出された操作に応じて、リスト画像のスクロール量を特定するスクロール量特定部４０を構成する。
【０１４０】
ここで、リスト画像をスクロールさせる操作としては、入力装置２０において、図８に示すように画像表示領域３５内のリスト画像をドラッグする操作、及び、図９に示すようにスクロールバー３６のスライダ３７をドラッグする操作などがある。
【０１４１】
また、操作実行部２３は、スクロール量特定部４０によって特定されたスクロール量に応じてリスト画像をスクロールさせると、リスト画像が画像表示領域３５から外れるように、換言すれば、リスト画像が画像表示領域３５からはみ出るようにスクロールすることを条件として、リスト画像が画像表示領域３５から外れないようにスクロール量を規制するスクロール量規制部４１を構成する。
【０１４２】
表示制御部２４は、スクロール量に応じてリスト画像をスクロールさせるとともに、スクロール量規制部４１によってスクロール量が規制されたことを条件として、画像表示領域３５の周辺領域の少なくとも一部の表示態様を変化させるようになっている。
【０１４３】
本実施の形態において、画像表示領域３５の周辺領域の少なくとも一部は、スクロールバー３６のスライダ３７とする。ここで、表示制御部２４は、スクロール量規制部４１によって規制されたスクロール量の規制量に応じて、スライダ３７の表示態様を変化させるようになっている。
【０１４４】
すなわち、表示制御部２４は、スクロール量規制部４１によって規制されたスクロール量の規制量が多くなるに連れて、スライダ３７の表示態様を大きく変化させるようになっている。例えば、図８及び図９に示したように、表示制御部２４は、スライダ３７の表示色の濃度を変化させることによって、スライダ３７の表示態様を変化させるようになっている。
【０１４５】
図８及び図９において、（ａ）は、画像表示領域３５内でリスト画像が図中下方向にスクロールされている状態を表し、（ｂ）は、画像表示領域３５内でリスト画像が境界まで、詳細には、リスト画像が画像表示領域３５の上端までスクロールされている状態を表している。これらの状態では、表示制御部２４は、スライダ３７の表示色の濃度を変化させない。
【０１４６】
一方、図８及び図９において、（ｃ）及び（ｄ）は、スクロール量規制部４１によってリスト画像のスクロール量が規制されている状態を表している。特に、（ｄ）は、（ｃ）が表す状態から更に図中下方向にリスト画像のスクロール動作が行われた状態を表している。これらの状態では、表示制御部２４は、スライダ３７の表示色の濃度を変化させる。
【０１４７】
ここで、スクロール量規制部４１によって規制されたスクロール量の規制量は、（ｃ）に示されている状態よりも（ｄ）に示されている状態の方が多いため、表示制御部２４は、（ｃ）に示されている状態におけるスライダ３７の表示色の濃度よりも、（ｄ）に示されている状態におけるスライダ３７の表示色の濃度を高くする。
【０１４８】
図６に戻り、表示制御部２４は、第２表示制御状態において、パラメータのグループを表すパラメータ項目を階層的に第１表示領域３１に表示させるようになっている。また、第２表示制御状態において、表示制御部２４は、パラメータのグループを展開したパラメータ項目をグループ単位で配列したリストを並べて第２表示領域３２に表示させるようになっている。
【０１４９】
なお、前述したように、図５に示したような第１表示制御状態において、表示モード切り替えボタン２８が押下されることにより、表示制御部２４は、メインウインドウ３０を図６に示したような第２表示制御状態に切り替えるようになっている。
【０１５０】
表示制御部２４は、第２表示制御状態において、第１表示領域３１に表示させたパラメータ項目のうち、第２表示領域３２に展開して表示させたパラメータ項目と、第２表示領域３２に表示させていないパラメータ項目とを識別できるように互いに異なる表示態様で表示装置２１に表示させるようになっている。
【０１５１】
例えば、表示制御部２４は、第１表示領域３１に表示させた４種のパラメータ項目（グループ名）のうち、第２表示領域３２に展開して表示させたパラメータ項目（「Mobile Station Identity」、「Power Control」及び「BCCH/PCCH」）と、第２表示領域３２に表示させていないパラメータ項目（「Base Station Identity」）とを識別できるように互いに異なる表示色で表示装置２１に表示させるようになっている。
【０１５２】
表示制御部２４は、第１表示領域３１に表示させたパラメータ項目と、第２表示領域３２に展開して表示させたパラメータ項目が配列された列とを対応付ける対応情報を表示装置２１に表示させるようになっている。
【０１５３】
例えば、表示制御部２４は、第１表示領域３１に表示させたパラメータ項目と、第２表示領域３２に展開して表示させたパラメータ項目が配列された列とに対応情報として数字などの識別子をそれぞれ付して表示装置２１に表示させるようになっている。
【０１５４】
操作実行部２３は、第１表示制御状態における第１表示領域３１又は第２表示制御状態における第２表示領域３２に表示されたパラメータ項目のうち、パラメータのグループを表すパラメータ項目が選択されたことが操作検出部２２によって検出されたことを条件に、このパラメータのグループが展開していれば集約し、集約していれば展開するように表示制御部２４に要求するようになっている。
【０１５５】
ここで、パラメータのグループが展開されると、このパラメータグループを表すパラメータ項目の下に下位のパラメータ項目が配列される。一方、パラメータグループが集約されると、このパラメータのグループの下位のパラメータ項目が非表示となり、次のパラメータのグループを表すパラメータ項目があれば、集約されたパラメータ項目の下に次のパラメータのグループを表すパラメータ項目が配列される。
【０１５６】
例えば、図５に示したリスト３４では、第２階層に分類された「Frequency」のグループパラメータ項目の下に第３階層の「Frame Structure」、「Channel Bandwidth」、「UL Channel」、「DL Channel」、「UL Frequency」、「DL Frequency」及び「Operation Band」の各設定パラメータ項目が表示されている状態を表している。
【０１５７】
ここで、第２階層「Frequency」のグループパラメータ項目が集約された場合には、第３階層の「Frame Structure」、「Channel Bandwidth」、「UL Channel」、「DL Channel」、「UL Frequency」、「DL Frequency」及び「Operation Band」の各設定パラメータ項目が非表示となって、「Frequency」のグループパラメータ項目の直ぐ下に第２階層に分類された「Level」のグループパラメータ項目が表示される。
【０１５８】
このように、横方向ではなく、縦方向にパラメータ項目を展開及び集約することができるようにすることによって、特定のグループパラメータ項目を展開することにより、下位の設定パラメータ項目を一覧してリスト３４に表示させることができ、特定のグループパラメータ項目を集約することにより、パラメータ項目をリスト３４にコンパクトに表示させることができる。
【０１５９】
また、操作実行部２３は、第１表示制御状態における第１表示領域３１又は第２表示制御状態における第２表示領域３２に表示されたパラメータ項目のうち、パラメータの名称とパラメータに設定された設定値とを含んでなる設定パラメータ項目を表すパラメータ項目の選択操作を検出したことを条件に、パラメータの設定処理を実行するようになっている。
【０１６０】
パラメータの設定処理において、操作実行部２３は、操作検出部２２がパラメータ項目の選択操作を検出したことを条件に、表示制御部２４にパラメータの値の変更要求を行う。この変更要求を受けた表示制御部２４は、図１０ないし図１５に示すように、パラメータの値を設定させるための操作子を少なくとも表してなるパラメータ設定画面を表示装置２１に表示させる。操作実行部２３は、パラメータ設定画面に基づいて設定された値を該当パラメータにパラメータ管理部１４を介して設定する。
【０１６１】
操作実行部２３は、操作検出部２２によって検出された設定画面処理における操作子に対する操作に応じて、パラメータの入力値を特定する入力値特定部４２を構成する。ここで、パラメータ設定画面が表す操作子としては、設定をキャンセルするキャンセルボタン、設定を確定するＯＫボタン、入力値をクリアするクリアボタン、入力値を１文字取り消すバックスペースボタン、数値を入力するための数値ボタン、単位を入力するための単位ボタン及び反数変換をするための反数変換ボタンなどがある。
【０１６２】
表示制御部２４は、パラメータの入力値５０に加えて、選択対象のパラメータに応じて、これらのボタンをパラメータ設定画面上に選択的に表示させるようになっている。図１０に示したパラメータ「DL Frequency」のパラメータ設定画面においては、表示制御部２４は、キャンセルボタン５１、ＯＫボタン５２、クリアボタン５３、バックスペースボタン５４、数値ボタン５５及び単位ボタン５６を表示させている。
【０１６３】
パラメータ設定画面が表示された状態において、入力値特定部４２は、操作検出部２２によって検出された操作がパラメータの入力値をパラメータの設定範囲外とする操作であることを条件として、操作子に対する操作を無効とし、表示制御部２４は、パラメータの入力値をパラメータの設定範囲外とする操作が無効となることが識別できるように操作子を表示装置２１に表示させるようになっている。
【０１６４】
すなわち、入力値特定部４２及び表示制御部２４は、選択対象のパラメータの設定範囲と、入力値とに応じて、各操作子をイネーブル状態又はディスエーブル状態にするようになっている。
【０１６５】
例えば、図１０に示したパラメータ設定画面において、パラメータ「DL Frequency」は、「０．４０００００ＭＨｚ」〜「２７００．００００００ＭＨｚ」の設定範囲が規定されているため、パラメータ設定画面において「２０１００００」と入力されると、「ＧＨｚ」と「ＭＨｚ」とを表す各単位ボタン５６がディスエーブル状態になり、「ｋＨｚ」と「Ｈｚ」とを表す各単位ボタン５６がイネーブル状態になり、入力値として単位が確定していないため、ＯＫボタン５２もディスエーブル状態になる。
【０１６６】
ここで、ディスエーブル状態の操作子（「ＧＨｚ」と「ＭＨｚ」とを表す各単位ボタン５６及びＯＫボタン５２）は、イネーブル状態の操作子と表示色が異なり、イネーブル状態の操作子よりも薄い色で表示されている。
【０１６７】
また、表示制御部２４が数値及び反数変換をそれぞれ選択させる操作子を表示装置２１に表示させる場合には、入力値特定部４２は、操作検出部２２によって検出された操作がパラメータの入力値をパラメータの設定範囲外とする操作であっても、パラメータの入力値の反数をパラメータの設定範囲内とする操作であれば、操作子に対する操作を有効とし、表示制御部２４は、パラメータの入力値をパラメータの設定範囲外とする操作であっても、パラメータの入力値の反数をパラメータの設定範囲内とする操作が有効となることが識別できるように操作子を表示装置２１に表示させるようになっている。
【０１６８】
ただし、表示制御部２４は、パラメータの入力値がパラメータの設定範囲外であることを条件として、パラメータの入力値がパラメータの設定範囲内であるときと異なる表示態様でパラメータの入力値を表示するようになっている。
【０１６９】
本実施の形態において、表示制御部２４は、パラメータの入力値がパラメータの設定範囲外であることを条件として、パラメータの入力値がパラメータの設定範囲内であるときと異なる表示色でパラメータの入力値を表示するようになっている。
【０１７０】
例えば、図１１に示すように、第１階層が「Common」であり、第２階層が「Level」である第３階層のパラメータ「Input Level」のパラメータ設定画面において、パラメータ「Input Level」は、「−６５．０ｄＢｍ」〜「３５．０ｄＢｍ」の設定範囲が規定されているため、「４０．０ｄＢｍ」は、パラメータの設定範囲外であるが、反数変換ボタン５７が操作されることによって、その反数「−４０．０ｄＢｍ」を設定範囲内にすることができるため、「４０．０ｄＢｍ」の入力は許容される。
【０１７１】
ただし、「４０．０ｄＢｍ」が入力された状態では、これ以上の数値の入力ができないため、全ての数値ボタン５５は、ディスエーブル状態になる。また、「４０．０ｄＢｍ」は、設定範囲外であるため、入力値５０は、パラメータの設定範囲内であるときと異なる表示色で表示される。
【０１７２】
また、入力値特定部４２及び表示制御部２４が各操作子をイネーブル状態又はディスエーブル状態にする態様とは別の他の態様として、入力値特定部４２は、パラメータの入力値がパラメータの設定範囲外であることを条件として、パラメータの入力値を設定範囲内に規制するようにしてもよい。
【０１７３】
ここで、表示制御部２４は、パラメータの入力値が入力値特定部４２によって規制されたことを条件に、パラメータの入力値の表示態様を変化させるようにしてもよい。例えば、表示制御部２４は、パラメータの入力値の表示色を変化させることにより、パラメータの入力値の表示態様を変化させるようにしてもよい。
【０１７４】
さらに、表示制御部２４は、パラメータ設定画面が設定範囲を更に表すように、表示装置２１に表示させ、パラメータの入力値が入力値特定部４２によって規制されたことを条件に、設定範囲のうちパラメータの入力値が設定範囲外となった規制値の表示態様を変化させるようにしてもよい。例えば、表示制御部２４は、パラメータ設定画面のタイトルバー４９に設定範囲を表示させ、設定範囲のうちパラメータの入力値が設定範囲外となった規制値の表示色を変化させることにより、規制値の表示態様を変化させるようにしてもよい。
【０１７５】
例えば、図１２に示すように、第１階層が「Common」であり、第２階層が「UL RMC」である第３階層のパラメータ「MCS Index」のパラメータ設定画面において、パラメータ「MCS Index」は、「０」〜「２８」の設定範囲が規定されているため、「０」未満の入力値は、「０」に規制され、「２８」より大きい入力値は「２８」に規制される。
【０１７６】
図１２に示す「MCS Index」のパラメータ設定画面おいて、表示制御部２４は、入力値の最小桁を１つインクリメントするインクリメントボタン５８と、入力値の最小桁を１つデクリメントするデクリメントボタン５９とを表示させるようになっている。
【０１７７】
この「MCS Index」のパラメータ設定画面おいて、「２８」が入力されている状態で、インクリメントボタン５８が操作されると、入力値は、「２８」に規制される。そして、入力値５０は、パラメータの設定範囲内であったときと異なる表示色で表示される。
【０１７８】
さらに、パラメータ設定画面のタイトルバー４９に表示された設定範囲のうちパラメータの入力値が設定範囲外となった規制値も、入力値がパラメータの設定範囲内であったときと異なる表示色で表示される。
【０１７９】
また、表示制御部２４は、パラメータ設定画面の操作子として、設定中のパラメータの入力値を初期値に戻す初期化ボタン４８（図中、「Back to Initial Value」ボタン）を表示させるようになっている。
【０１８０】
操作実行部２３は、初期化ボタン４８に対する操作が操作検出部２２によって検出されたことを条件に、パラメータ設定画面の入力値を設定中のパラメータの初期値に設定するようになっている。
【０１８１】
例えば、図１２に示す「MCS Index」のパラメータ設定画面おいて、操作実行部２３は、初期化ボタン４８に対する操作が操作検出部２２によって検出されたことを条件に、パラメータ設定画面の入力値を「MCS Index」の初期値である「５」に設定するようになっている。すなわち、初期化ボタン４８が操作されると、パラメータの入力値５０には、「５」が表示される。なお、初期化ボタン４８は、図１０及び図１１に示した各パラメータ設定画面にも、設けるようにしてもよい。
【０１８２】
表示制御部２４は、特定のパラメータの値を設定させるためのパラメータ設定画面を表示装置２１に表示させることを条件に、特定のパラメータの値を設定させるためのパラメータ設定画面からパラメータ関連情報によって特定のパラメータに関連付けられたパラメータの値を設定させるためのパラメータ設定画面に切り替えるための操作子としてパラメータ切り替えボタンを特定のパラメータの値を設定させるためのパラメータ設定画面上に表示させるようになっている。
【０１８３】
例えば、図１３に、第１階層が「Common」であり、第２階層が「Frequency」である第３階層のパラメータ「Operation Band」を設定するパラメータ設定画面を示す。この「Operation Band」は、上述したように、本実施の形態における特定のパラメータに該当し、「UL Channel」及び「DL Channel」がパラメータ関連情報により関連付けられているため、「Operation Band」のパラメータ設定画面において、表示制御部２４は、「UL Channel」及び「DL Channel」を設定するためのパラメータ切り替えボタン６０ａ、６０ｂをパラメータ設定画面上に表示させるようになっている。
【０１８４】
図１３に示すパラメータ設定画面において、表示制御部２４は、各パラメータ切り替えボタン６０ａ、６０ｂに、パラメータの名称「UL Channel」及び「DL Channel」並びにパラメータの現在の設定値「１２０ｃｈ」及び「３００ｃｈ」をそれぞれ表示させるようになっている。
【０１８５】
なお、表示制御部２４は、パラメータ切り替えボタンの表示領域６１に全てのパラメータ切り替えボタンが収まらない場合には、複数のパラメータ切り替えボタンからなる行を操作実行部２３により幅方向にスクロールできるようにしてもよく、高さ方向に段数を増やして表示するようにしてもよい。
【０１８６】
なお、図１３は、第１階層が「Common」であり、第２階層が「Frequency」である第３階層のパラメータ「Operation Band」のように、パラメータの値を直接に設定するためのパラメータ設定画面の例を示している。
【０１８７】
これに対し、図示を省略するが、第１階層が「Call Processing」であり、第２階層が「Mobile Station Identity」である第３階層のパラメータ「Authentication」のように、設定値が「ＯＮ」と「ＯＦＦ」との間で切り替えられるパラメータに対しては、表示制御部２４は、「ＯＮ」と「ＯＦＦ」とのラジオボタン又は「ＯＮ」を表すチェックボックスを含むパラメータ設定画面を表示装置２１に表示させるようになっている。
【０１８８】
また、図示を省略するが、第１階層が「Common」であり、第２階層が「Frequency」である第３階層のパラメータ「Frame Structure」のように、パラメータの値の候補とする複数の候補値から１つの値が設定されるパラメータに対しては、表示制御部２４は、複数のパラメータの候補から１つの候補を選択させるリスト又はポップアップメニューを含むパラメータ設定画面を表示装置２１に表示させるようになっている。
【０１８９】
ここで具体的に入力の流れを説明すれば、第１表示領域３１または第２表示領域３２に表示された設定パラメータ項目「Operation Band」を選択すると、図１３に示したパラメータ設定画面が表示される（前回の設定値「３」が表示されている）。引き続いて、図１４に示すように、「Operation Band」として「５」が新たに設定され、パラメータ切り替えボタン６０ａが操作されると、図１５に示すように、表示制御部２４によって、「Operation Band」を設定するためのパラメータ設定画面が「UL Channel」を設定するためのパラメータ設定画面に切り替えられる。
【０１９０】
図１５に示したパラメータ画面において、「UL Channel」は、本実施の形態における特定のパラメータに該当し、「UL Frequency」及び「Operation Band」がパラメータ関連情報により関連付けられているため、表示制御部２４は、「UL Frequency」及び「Operation Band」を設定するためのパラメータ切り替えボタン６０ｃ、６０ｄをパラメータ設定画面上に表示させるようになっている。
【０１９１】
各パラメータ切り替えボタン６０ｃ、６０ｄには、パラメータの名称「UL Frequency」及び「Operation Band」並びにパラメータの設定値「２０４０．０ＭＨｚ」及び図１４において変更された設定値「５」がそれぞれ表示されている。
【０１９２】
なお、本実施の形態におけるパラメータ設定画面は、ＬＴＥ−Ａに対応した移動端末２の試験を行うために、キャリアアグリゲーション（以下、単に「ＣＡ」ともいう）におけるＰＣＣ（Primary Component Carrier）と少なくとも１つのＳＣＣ（Secondary Component Carrier）と（以下、総称して「ＣＣ」という）の各パラメータを設定するパラメータ設定装置に適用することができる。
【０１９３】
すなわち、本実施の形態は、特定のパラメータの値を設定させるためのパラメータ設定画面から特定のパラメータと異なるＣＣの同じ種別のパラメータの値を設定させるためのパラメータ設定画面に切り替えるためのパラメータ切り替えボタンを特定のパラメータの値を設定させるためのパラメータ設定画面上に表示させるようにしてもよい。
【０１９４】
本実施の形態を具体的に説明していく。図１６は、この態様におけるメインウインドウ３０である。ＰＣＣ、ＳＣＣ１、ＳＣＣ２、ＳＣＣ３のタブがあり、タブを切り替えて各ＣＣのパラメータを設定するようになっている。なお、ＳＣＣの数は一例である。
【０１９５】
本実施の形態では、各ＣＣ間に関連を持たせるようになっている。図１７に、ＰＣＣのパラメータ設定時におけるパラメータ群を一例として示す。例えば、ＰＣＣの「Operation Band」の関連パラメータは、「SCC1 Operation Band」となっている。ＰＣＣと複数のＳＣＣのパラメータを設定する際には、各ＣＣ個別で設定を行っていくよりも、同一パラメータを各ＣＣで横断して設定していく方が設定の流れ上好適である。
【０１９６】
よって、パラメータ群の図示は省略するが、ＳＣＣ１設定時における「SCC1 Operation Band」の関連パラメータは「SCC2 Operation Band」となる。つまり、ＰＣＣの「Operation Band」→ＳＣＣ１の「Operation Band」→ＳＣＣ２の「Operation Band」→ＳＣＣ３の「Operation Band」を設定し、引き続きＰＣＣの「UL Channel」→ＳＣＣ１の「UL Channel」→ＳＣＣ２の「UL Channel」→ＳＣＣ３の「UL Channel」を設定する、というような流れとなる。
【０１９７】
図１８に、ＰＣＣの「Operation Band」設定時のパラメータ設定画面を示す。パラメータ切り替えボタン表示領域６１には「SCC1 Operation Band」のパラメータ切り替えボタンが表示される。なお図示は省略するが、「SCC1 Operation Band」を選択すると「SCC1 Operation Band」の設定用のパラメータ設定画面となり、パラメータ切り替えボタン表示領域６１には「SCC2 Operation Band」のパラメータ切り替えボタンが表示される。
【０１９８】
このように、本実施の形態におけるパラメータ設定画面は、ＣＡにおけるＣＣの各パラメータを設定するパラメータ設定装置に適用することにより、任意のＣＣの特定のパラメータを設定させた後に、他のＣＣの特定のパラメータの設定をユーザに容易に行わせることができる。
【０１９９】
表示制御部２４は、第１表示領域３１に表示されたパラメータ抽出ボタン６４に対する操作が操作検出部２２によって検出されたことを条件に、図１９に示すようなパラメータ抽出画面８０を表示装置２１に表示させるようになっている。
【０２００】
パラメータ抽出画面８０は、入力画面表示領域８１と、抽出結果表示領域８２とを含んでいる。表示制御部２４は、パラメータの検索条件を設定するための操作子、例えば、パラメータ名を入力するための複数のキーと、複数のキーに対する入力操作によって入力された検索条件とを入力画面表示領域８１に表示するようになっている。なお、本実施の形態における検索条件とは、入力されたキーワードを含むこととする。
【０２０１】
操作実行部２３は、階層化されたパラメータ群の中から検索条件が成立するパラメータを抽出するパラメータ抽出部４３を構成する。本実施の形態において、パラメータ抽出部４３は、全ての第１階層に含まれる第３階層のパラメータ群の中から検索条件が成立するパラメータを抽出するようになっている。また、表示制御部２４は、操作実行部２３によって抽出されたパラメータを表すパラメータ抽出画面８０を表示装置２１に表示させるようになっている。
【０２０２】
なお、パラメータ抽出部４３は、メインウインドウ３０の第１表示領域３１で選択されている第１階層に含まれる第３階層のパラメータ群の中から検索条件が成立するパラメータを抽出するようにしてもよい。
【０２０３】
スクロール量特定部４０及びスクロール量規制部４１は、抽出結果表示領域８２に表示されたリスト８３に対しても、メインウインドウ３０の第１表示領域３１に表示させたリスト３４と同様に機能するようになっている。また、操作実行部２３は、リスト８３の中で選択されたパラメータに対して、パラメータの設定処理を実行するようになっている。
【０２０４】
例えば、メインウインドウ３０のパラメータ抽出ボタン６４に対する操作が操作検出部２２によって検出されると、パラメータ抽出画面８０が表示制御部２４によってメインウインドウ３０の前面に表示される。
【０２０５】
ここで、パラメータ抽出画面８０の入力画面表示領域８１において検索条件として、「UL」が入力されると、抽出結果表示領域８２には、第１階層が「Common」であり、第２階層が「Frequency」である第３階層のパラメータ「UL Channel」及び「UL Frequency」、第１階層が「Common」であり、第２階層が「Level」である第３階層のパラメータ「Main UL」、並びに、第１階層が「TX Measurement Setup」であり、第２階層が「Relative Power」である第３階層のパラメータ「UL Number of RB 1」のパラメータ項目よりなるリスト８３が表示制御部２４によって表示される。
【０２０６】
操作実行部２３は、パラメータ抽出画面が表すパラメータの中から選択されたパラメータの値を設定させる操作を実行するようになっている。例えば、第１階層が「Common」であり、第２階層が「Frequency」である第３階層のパラメータ「UL Channel」に対する操作が操作検出部２２によって検出されると、操作実行部２３は、図１５に示したようなパラメータ設定画面を表示装置２１に表示させるように表示制御部２４を制御する。
【０２０７】
このように、操作実行部２３は、パラメータ抽出画面が表すパラメータの中から選択されたパラメータの値を設定させる操作を実行するため、パラメータの値を設定するために、パラメータ抽出画面８０からメインウインドウ３０に切り替えるユーザの手間を省くことができる。
【０２０８】
なお、表示制御部２４は、パラメータ抽出部４３によって抽出されたパラメータを図２及び図３を参照して説明した階層化されたパラメータ群と同一な分類で階層化した抽出結果画面を表示装置２１に表示させるようにしてもよい。
【０２０９】
具体的には、表示制御部２４は、パラメータ抽出部４３によって抽出されたパラメータを階層化した抽出結果をパラメータ抽出画面８０の抽出結果表示領域８２に表示させるようにしてもよい。
【０２１０】
すなわち、表示制御部２４は、メインウインドウ３０の第１表示領域３１に表示させたリスト３４と同じ形式のリスト８３で、パラメータ抽出部４３によって抽出されたパラメータのパラメータ項目を表示させるようにしてもよい。
【０２１１】
以上に説明したように、本実施の形態は、特定のパラメータの値を設定させるためのパラメータ設定画面から、特定のパラメータに関連したパラメータの値を設定させるためのパラメータ設定画面に切り替えるためのパラメータ切り替えボタン６０ａ〜６０ｄを、特定のパラメータの値を設定させるためのパラメータ設定画面上に表示させる。
【０２１２】
したがって、本発明のパラメータ設定装置は、特定のパラメータを設定した後に、特定のパラメータに関連するパラメータを複数のパラメータのなかからユーザに特定させる負担を削減するため、パラメータの設定を行わせるときにかかるユーザの負担を軽減することができる。
【０２１３】
また、本実施の形態は、パラメータ切り替えボタンに対応するパラメータの名称をパラメータ切り替えボタン上に表示させるため、パラメータ切り替えボタンを操作したときに、どのパラメータを設定するためのパラメータ設定画面にパラメータ設定画面が切り替わるのかをユーザに視認させることができる。
【０２１４】
また、本実施の形態は、パラメータ切り替えボタンに対応するパラメータの設定値をパラメータ切り替えボタン上に表示させるため、設定対象のパラメータに関連する他のパラメータに設定値をユーザに視認させることができ、設定対象のパラメータを設定するときの判断材料をユーザに提示することができる。
【０２１５】
また、本実施の形態におけるパラメータ設定方法は、パラメータ設定装置によってパラメータを設定するパラメータ設定方法であって、複数のパラメータのなかで特定のパラメータに関連付けられたパラメータを表すパラメータ関連情報をパラメータ関連情報格納部１５に予め格納しておき、複数のパラメータのなかから選択されたパラメータの値を設定させるためのパラメータ設定画面を表示装置２１に表示させる表示制御ステップを有する。
【０２１６】
表示制御ステップでは、特定のパラメータの値を設定させるためのパラメータ設定画面を表示装置２１に表示させることを条件に、図１３に示したような特定のパラメータの値を設定させるためのパラメータ設定画面から図１５に示したようなパラメータ関連情報によって特定のパラメータに関連付けられたパラメータの値を設定させるためのパラメータ設定画面に切り替えるためのパラメータ切り替えボタン６０ａ〜６０ｄを特定のパラメータの値を設定させるためのパラメータ設定画面上に表示させる。
【０２１７】
また、表示制御ステップでは、ＣＡにおけるＣＣの特定のパラメータの値を設定させるためのパラメータ設定画面を表示装置２１に表示させることを条件に、図１８に示したような特定のパラメータの値を設定させるためのパラメータ設定画面から図１７に示したようなパラメータ関連情報によって特定のパラメータに関連付けられた他のＣＣの特定のパラメータの値を設定させるためのパラメータ設定画面に切り替えるためのパラメータ切り替えボタン６０ｅを特定のパラメータの値を設定させるためのパラメータ設定画面上に表示させてもよい。
【０２１８】
以上、本発明の実施の形態を開示したが、当業者によっては本発明の範囲を逸脱することなく変更が加えられうることは明白である。すべてのこのような修正及び等価物が特許請求の範囲に記載された請求項に含まれることが意図されている。
【符号の説明】
【０２１９】
１５  パラメータ関連情報格納部
２１  表示装置
２４  表示制御部
６０ａ〜６０ｅ  パラメータ切り替えボタン（操作子）
【図１】
2016126614.tif 000003
【図２】
2016126614.tif 000004
【図３】
2016126614.tif 000005
【図４】
2016126614.tif 000006
【図５】
2016126614.tif 000007
【図６】
2016126614.tif 000008
【図７】
2016126614.tif 000009
【図８】
2016126614.tif 000010
【図９】
2016126614.tif 000011
【図１０】
2016126614.tif 000012
【図１１】
2016126614.tif 000013
【図１２】
2016126614.tif 000014
【図１３】
2016126614.tif 000015
【図１４】
2016126614.tif 000016
【図１５】
2016126614.tif 000017
【図１６】
2016126614.tif 000018
【図１７】
2016126614.tif 000019
【図１８】
2016126614.tif 000020
【図１９】
2016126614.tif 000021